(57)【要約】【課題】目的部位と観察窓との距離を所定の距離に設定するとともに、観察光学系の視野角を十分に確保して観察を行え、挿入部先端部の太径化及び粘膜吸着の発生を防止した内視鏡用フードを提供すること。【解決手段】内視鏡用フード２０は先端部１２に着脱自在に装着される。内視鏡用フード２０は薄肉の弾性部材で形成され、固定部２１とフード部２２とが設けられている。固定部２１は先端部１２の外周側に弾性力によって固設される。このとき、フード部２２は先端部１２の先端面１２ａから観察視野方向に突出する。フード部２２の外径寸法は、先端部１２の外径寸法と同一である。内視鏡用フード２０の内壁面には凸部２３が設けられている。凸部２３の固定部側は先端面１２ａに当接し、先端側面は傾斜部２４として形成されている。凸部２３には、先端面１２ａに形成されている開口１６ａを完全に露出させる切り欠き部２５が形成されている。【選択図】図２
2005095582.tif 000002
【特許請求の範囲】
【請求項１】
被検体内に挿入される吸引機能を有する管路を備えた内視鏡の挿入部に設けられ、被検体を観察するための観察用の光学部材の先端面よりも視野方向前方に向けて突出する突出部と、
この突出部の少なくとも一部に形成され、該突出部の厚み方向における断面においてその厚みが前記視野方向前方に向けて小さくなるように形成された傾斜部を有する凸部と、
を備え、
前記傾斜部に前記吸引機能を有する管路の開口の少なくとも一部が形成され、この傾斜部に形成される開口の最も前記視野方向前方側の開口の位置を、該吸引機能を有する管路の開口が設けられる近傍における前記突出部の先端位置よりも視野方向側に配置したことを特徴とする内視鏡フード。
【請求項２】
前記傾斜部は、曲面で形成されることを特徴とする請求項１に記載の内視鏡フード。
【請求項３】
前記傾斜部は、斜面で形成されることを特徴とする請求項１に記載の内視鏡フード。
【請求項４】
前記突出部は、少なくとも一部に管状部を有し、この管状部の外径寸法は前記挿入部先端部における外径寸法と略同一であることを特徴とする請求項１ないし請求項３のいずれかに記載の内視鏡フード。
【請求項５】
前記突出部に前記挿入部先端部に対して着脱自在に取り付けられる固定部を設ける構成において、
前記凸部に、前記傾斜部に形成された開口と前記内視鏡の挿入部先端に設けられた前記管路の開口とを連通する、連通部を設けたことを特徴とする請求項１ないし請求項４のいずれかに記載の内視鏡フード。
【請求項６】
前記突出部は前記内視鏡の挿入部に対して一体的に形成される請求項１ないし請求項４に記載の内視鏡フード。
【請求項７】
被検体内に挿入される内視鏡の挿入部に設けられた被検体を観察するための観察用の光学部材の先端面よりも視野方向前方に向けて突出し、厚み方向における断面においてその厚みが前記視野方向前方よりも視野方向手前側の方が大きくなる厚み変化部を形成した突出部と、
前記厚み変化部に少なくとも一部が形成される吸引機能を有する管路の開口と、
を具備する内視鏡フード。
【請求項８】
被検体内に挿入される内視鏡の挿入部に設けられた被検体を観察するための観察用の光学部材の先端面よりも視野方向前方に向けて突出する突出部を設け、
前記突出部には吸引機能を有する管路の開口の少なくとも一部が形成され、前記視野方向の最も前方側における前記管路の開口の位置を、前記突出部の先端位置よりも手前側に配置させたことを特徴とする内視鏡フード。
【発明の詳細な説明】
【技術分野】
【０００１】
本発明は、内視鏡挿入部の先端部に一体若しくは着脱自在に設けられる内視鏡用フードに関する。
【背景技術】
【０００２】
内視鏡は、体腔内に挿入される挿入部と、この挿入部の基端側に設けられた操作部とで主に構成されている。操作部から挿入部までの間には、被写体を観察するための観察光学
系、被写体を照明するための照明光学系、送気及び送水を行うための送気・送水チャンネ
ルや鉗子を挿通するための鉗子チャンネル等が設けられている。
【０００３】
挿入部の先端部には観察窓、照明窓、送気・送水口や鉗子口が設けられている。観察窓の基端側には観察光学系が配設されている。照明窓の基端側には照明光学系が臨まれている。送気・送水口は送気・送水チャンネルに連通している。鉗子口は鉗子チャンネルに連通している。
【０００４】
一方、操作部には例えば観察光学系の基端に設けられた接眼光学系や鉗子チャンネルに処置用等の鉗子を挿入するための鉗子挿入口が設けられている。また、操作部からはユニバーサルコードが延出している。ユニバーサルコード内には、照明光学系に照明光を供給するライトガイドファイバ束及び送気・送水チャンネルが挿通されている。
【０００５】
なお、前記内視鏡が光学式の場合、観察光学系は観察窓に臨む対物レンズと、この対物
レンズで取り込んだ被写体光を導光するイメージガイドファイバ束と、このイメージガイドファイバ束の基端面に対向して設けられた接眼レンズ等で構成される。一方、内視鏡が電子式の場合、観察光学系は観察窓に臨む対物レンズと、この対物レンズの焦点位置に撮像素子を配置した撮像装置とで構成される。この場合、撮像素子で光電変換された電気信号は撮像装置から延出する信号ケーブルによって図示しないカメラコントロールユニットに伝送される。カメラコントロールユニットでは、電気信号から映像信号を生成して表示装置に出力する。このことによって、表示装置の画面上に内視鏡画像が表示される
体腔内の検査観察を行う際、光源装置からの照明光を照明窓から被写体に向けて照射する。照明光で照らされた体腔内の被写体像は、観察窓を通して対物レンズで取り込まれる。このことによって、術者は、接眼レンズを介して目視による観察、或いは表示装置に表示された内視鏡画像による観察を行える。
【０００６】
術者が、目視にて観察している部位の処置を行う場合、鉗子チャンネルを介して処置具等を体腔内に導出させ、生体組織の切除や採取等を行う。この切除や採取の際、術者が所定の手元操作を行うことによって、送気・送水チャンネルから水や空気を噴出させることや、鉗子チャンネルを介して水や汚物等を吸引することができるようになっている。
【０００７】
内視鏡で観察しながら処置や治療等を行う場合、鮮明な内視鏡画像を得るためには観察窓から目的部位までの距離を所定の距離に保持する必要がある。そのため、目的部位と観察窓との距離を確保するために、内視鏡挿入部の先端部に内視鏡用フードを設ける。
【０００８】
例えば、実公昭５９−１５６０５号公報に示されている内視鏡においては、フードを挿入部先端部の外周面側に装着し、フードの前端部分を被写体である生体組織に当接させる。このことによって、被写体と観察窓との距離を一定に保った状態にして、粘膜等の動きの伴う被写体の観察を行える。
【０００９】
また、特開２０００−１９７６０３号公報に示されている内視鏡の先端部においては、内視鏡の挿入部の体腔内挿入操作を容易にする目的で、挿入部先端部の形状を鉗子チャンネル開口付近を頂点とする凸面状に形成し、観察窓及び照明窓を鉗子チャンネル開口より後方に配置させている。
【特許文献１】実公昭５９−１５６０５号公報
【特許文献２】特開２０００−１９７６０３号公報
【発明の開示】
【発明が解決しようとする課題】
【００１０】
しかしながら、実公昭５９−１５６０５号公報の内視鏡に示されるフードにおいては、フードが挿入部先端部の外周面側に装着される構成である。このため、フードを含めた挿入部先端部の最大外径が太くなってしまう。
【００１１】
また、フードが観察視野内に配置されることによって、視野ケラレが生じる。この不具合を防止するため、観察窓、照明窓及び鉗子チャンネル開口の位置関係と、観察窓に臨まれる対物レンズの視野角等を考慮して、フードの肉厚、フード前端部分の挿入部先端面からの突出寸法等を設定している。
【００１２】
一方、特開２０００−１９７６０３号公報に示されている内視鏡の先端部の構成では、鉗子チャンネル開口が最先端に位置している。このため、観察中において、鉗子チャンネル開口を介して吸引を行った場合、この鉗子チャンネル開口が生体組織の粘膜等に当接していた場合に粘膜吸着が生じるおそれがある。
【００１３】
本発明は上記事情に鑑みてなされたものであり、目的部位と内視鏡挿入部に設けられている観察窓との距離を所定の距離に設定した状態で、観察光学系の視野角を十分に確保して観察を行え、挿入部先端部の太径化を防止するとともに、粘膜吸着の発生を防止した内視鏡用フードを提供することにある。
【課題を解決するための手段】
【００１４】
本発明の内視鏡用フードは、被検体内に挿入される吸引機能を有する管路を備えた内視鏡の挿入部に設けられ、被検体を観察するための観察用の光学部材の先端面よりも視野方向前方に向けて突出する突出部と、
この突出部の少なくとも一部に形成され、該突出部の厚み方向における断面においてその厚みが前記視野方向前方に向けて小さくなるように形成された傾斜部を有する凸部と、
を備え、
前記傾斜部に前記吸引機能を有する管路の開口の少なくとも一部が形成され、この傾斜部に形成される開口の最も前記視野方向前方側の開口の位置を、該吸引機能を有する管路の開口が設けられる近傍における前記突出部の先端位置よりも視野方向側に配置している。
【００１５】
この構成によれば、視野方向の前方に突出する突出部を設けたことによって先端部の挿入性が損なわれることなく、観察及び処置具を導入しての処置や汚物の吸引等を良好に行える。
【発明の効果】
【００１６】
本発明によれば、目的部位と内視鏡挿入部に設けられている観察窓との距離を所定の距離に設定することができるという効果を有する。また、観察光学系の視野角を十分に確保して観察を行うことができるという効果を有する。さらに、挿入部先端部の太径化の防止及び粘膜吸着の発生を防止することができるという効果を有する。
【発明を実施するための最良の形態】
【００１７】
以下、図面を参照して本発明の実施の形態を説明する。  
図１及び図２は本発明の第１実施形態にかかり、図１は内視鏡挿入部の先端部に内視鏡用フードを装着した状態を示す斜視図、図２は内視鏡用フード及び内視鏡挿入部を図１に示す２−２線に沿って、挿入部軸方向に切断した断面図である。
【００１８】
図１及び図２に示すように内視鏡装置１は、内視鏡１０と内視鏡用フード２０とで構成されている。内視鏡１０は体腔内に挿入される可撓性を有する挿入部１１を備えている。挿入部１１は例えば、先端側から順に硬質部材で形成された先端部１２、複数の湾曲駒（不図示）を連設した湾曲部１３及び柔軟性を有する可撓管部（不図示）を備えて構成されている。
【００１９】
挿入部１１を構成する先端部１２の先端面１２ａには、観察窓１４、例えば２つの照明窓１５ａ、１５ｂ及び鉗子チャンネル１６を構成するチャンネル開口（以下、開口と略記する）１６ａが設けられている。
【００２０】
観察窓１４の後方には観察光学系を構成する対物レンズ（不図示）が臨まれている。対物レンズの焦点位置には例えば撮像素子の撮像面が配置されている。この撮像素子を備える撮像装置（不図示）の基端側からは、制御信号や電気信号を伝送する信号ケーブル（不図示）が延出している。信号ケーブルは挿入部１１内を挿通して内視鏡装置１を構成するカメラコントロールユニット（不図示）に接続される。
【００２１】
一方、照明窓１５ａ、１５ｂの基端側にはライトガイドファイバ束１７の出射端面が臨まれている。ライトガイドファイバ束１７の入射端は、内視鏡装置１を構成する光源装置（不図示）に設けられている照明用ランプに対峙している。ライトガイドファイバ束１７を介して伝送された照明光は、照明窓１５ａ、１５ｂを通過して目的部位を照らすようになっている。
【００２２】
開口１６ａからは各種処置等を行うための処置具が導出されるようになっている。本実施形態における鉗子チャンネル１６は、処置具が挿通されるチャンネルとして使用される他に、吸引チャンネルを兼ねており、吸引機能を有する管路を構成している。なお、吸引チャンネルが、送気・送水チャンネルをも兼ねるようにしてもよい。また、吸引チャンネルを鉗子チャンネルと別に設けてもよく、この場合、吸引チャンネルを挿入部に対して別体な外付けチャンネルとして構成してもよい。
【００２３】
内視鏡用フード２０は先端部１２の外周面側に着脱自在に装着される。フード装着状態において、内視鏡用フード２０の先端面部２０ａが先端面１２ａから所定量突出するようになっている。
【００２４】
内視鏡用フード２０は薄肉の弾性部材で略管状に形成される。内視鏡用フード２０には固定部２１と、突出部であるフード部２２とが設けられている。固定部２１は、先端部１２の外周側に弾性力によって一体的に固設される。
【００２５】
一方、フード部２２は、先端部１２の先端面１２ａから内視鏡挿入方向、言い換えれば、内視鏡の観察視野方向に突出している。内視鏡用フード２０のフード部２２の長さ寸法は、観察性を考慮して先端部１２の先端面１２ａから観察視野方向に所定の寸法、突出するように設定されている。
【００２６】
フード部２２の外径寸法（φ）は、先端部１２の外径寸法と同一、又はそれ以下に設定されている。したがって、フード部２２の外径寸法は、固定部２１の外径寸法より細径である。
【００２７】
内視鏡用フード２０を構成する固定部２１及びフード部２２が形成する内壁面の軸方向中途部の所定位置には、部分的、或いは全周に渡って凸部２３が設けられている。凸部２３の長手方向の幅寸法及び高さ寸法は、所定の寸法に設定されている。凸部２３の高さ寸法は、フード装着状態において、先端面１２ａに設けられている観察窓１４、照明窓１５ａ、１５ｂが露出するように設定される。
【００２８】
凸部２３の固定部側である基端側面の形状は、先端面１２ａ及び先端側外周面に当接する当接面として形成されている。したがって、フード部２２の凸部２３の固定部側を先端面１２ａに当接させることによって、内視鏡用フード２０は所定のフード装着状態になる。このとき、フード部２２は、先端面１２ａから所定寸法だけ突出する。
【００２９】
一方、凸部２３の先端側面には、曲面又は斜面で形成した傾斜部２４が設けられている。この傾斜部２４は、フード部２２の先端側に向かうにしたがって凸部２３の内径寸法が徐々に大きく変化するように形成されて傾斜部或いは厚み変化部を構成している。言い換えれば、凸部２３の幅寸法は、フード部２２の厚み方向における断面において、その厚み寸法が視野方向前方にいくにしたがって徐々に小さくなる。このことによって、フード部２２の機械的強度が高められるとともに、観察視野が確保される。
【００３０】
所定の幅寸法及び高さ寸法で形成された凸部２３には、先端面１２ａに形成されている開口１６ａを露出状態にさせるための連通部になる切り欠き部２５が形成される。切り欠き部２５の形状は、開口１６ａからスムーズに処置具が導出されるように滑らかな連通状態で形成される。
【００３１】
このように、凸部２３に切り欠き部２５を形成することによって、先端面１２ａに設ける開口１６ａの形成位置を先端面１２ａの外周側に設定することが可能になる。このことによって、観察窓１４を先端面１２ａの中心位置側に配置させて、視野ケラレの解消を図ることができる。
【００３２】
上述のように構成した内視鏡用フード２０の先端部１２への装着、及び装着された内視鏡用フード２０の作用について説明する。
【００３３】
まず、内視鏡用フード２０の固定部２１を、挿入部１１の先端部１２に外嵌配置させる。そして、固定部２１を湾曲部１３側に押し込んでいく。すると、内視鏡用フード２０の内壁面に設けられている凸部２３の固定部側が先端部１２の先端面１２ａに当接する。この状態で、切り欠き部２５を開口１６ａの前方に位置するように配置位置を調節する。このことによって、内視鏡用フード２０が先端部１２に対して所望のフード装着状態で配設される。
【００３４】
このフード装着状態においては、フード部２２の先端面部２０ａから先端面１２ａに設けられている観察窓１４までの距離が、内視鏡観察に最適な所定の距離に設定される。また、開口１６ａは露出状態である。本実施の形態においては、先端面１２ａに設けられている観察窓１４、照明窓１５ａ、１５ｂは、凸部２３の中心側端面より中心側に位置しているので、露出状態である。
【００３５】
したがって、照明窓１５ａ、１５ｂから出射される照明光は、凸部２３によって遮られることなく目的部位を所望の状態で照明する。また、観察窓１４を通して目的部位の観察を行うとき、視野ケラレ等の不具合が発生することなく最良の観察状態を得られる。さらに、開口１６ａ及び切り欠き部２５を介して処置具をスムーズに目的部位に導けるとともに、汚物等の吸引を行った際、凸部２３が内壁面の軸方向中途部に位置しているので、生体組織によって開口１６ａが塞がれることなく行って、粘膜吸着を低減させることができるようになる。
【００３６】
なお、凸部２３の高さを観察窓１４、照明窓１５ａ、１５ｂが設けられる位置よりも高く設定した場合には、対応する位置に切り欠きを設け、前記切り欠き部２５のように構成しても良い。
【００３７】
このように、内視鏡用フードを固定部と、先端部の外径より細径なフード部とで構成することによって、内視鏡用フードを装着した内視鏡の先端部分が先端部の外径寸法より太径になることを防止することができる。このことによって、挿入部の先端部に内視鏡用フードを装着した状態における、挿入部の挿入性を図れる。
【００３８】
また、内視鏡用フードの内壁面の中途部の所定位置に凸部を設けたことによって、凸部の基端側面を先端部の先端面に当接させることによって、所望のフード装着状態を確実かつ容易に得ることができる。このことによって、内視鏡用フードの先端面部を目的部位に当接させることにより、観察光学系を通して鮮明な内視鏡画像を得られる。
【００３９】
さらに、凸部の先端側面に傾斜面を設けたことによって、薄肉のフード部の装着部並びにフード部の機械的強度を高めることができる。このことによって、フード部材の強度を維持しつつ、外径寸法を固定部より細径に形成したフード部の更なる細径化を図れる。
【００４０】
又、傾斜面部の傾斜角或いは半径を観察光学系の観察視野を考慮して、具体的には傾斜面が観察視野範囲内に位置することがないように設定することによって、視野ケラレによる不具合の発生をさらに解消することができる。
【００４１】
また、凸部に吸引機能を有する管路の開口に連通する切り欠き部を設けたことによって、切り欠き部の最先端位置が内視鏡用フードの先端面部より基端側に位置するので、先端面部を生体組織に当接させて体腔内の汚物吸引を行った際、開口が生体組織で塞がれて発生する粘膜吸着を防止することができる。また、本実施の形態のように、吸引機能を有する管路を挿入部の内部に挿通させた場合には、フード部の外径を小さくすることができるようになり、細径化を図ることができるようになる。
【００４２】
なお、本実施形態を説明する図２においては、内視鏡用フード２０のフード部２２に設けられる傾斜部２４を平面形状としているが、傾斜部２４の形状を凹面形状にするようにしてもよい。
【００４３】
また、傾斜部２４を曲面ではなく斜面で形成した場合、この斜面を凹面形状に形成することによって、この傾斜部２４に生体組織が接触した際、粘膜と凹面形状との間に隙間が生じて、粘膜吸着を防止することができる。
【００４４】
さらに、本実施形態においては内視鏡用フード２０に固定部２１を設け、この固定部２１を挿入部１１の先端部１２に弾性力によって固設するとしているが、先端部１２に内視鏡用フード２０を構成するフード部２２、傾斜部２４、切り欠き部２５等を一体的に形成するようにしてもよい。
【００４５】
又、鉗子チャンネルと吸引機能を有する管路を別に設けてもよい。この場合には吸引機能を有する管路の開口に対応した傾斜部の位置に孔を形成するようにしてもよい。
【００４６】
さらに、前記切り欠き部に代えて、吸引機能を有する管路の開口が全て凸部にかかるようにして、管路の開口に対応した傾斜部の位置に孔を形成するようにしてもよい。
【００４７】
図３及び図４は本発明の第２実施形態にかかり、図３は内視鏡挿入部の先端部に内視鏡用フードを装着した状態を示す斜視図、図４は内視鏡用フード及び内視鏡挿入部を図３に示す４−４線に沿って、挿入部軸方向に切断した断面図である。
【００４８】
図３及び図４に示すように本実施形態の内視鏡用フード３０は、前記内視鏡用フード２０と内壁面の構成が異なっている。具体的には、内視鏡用フード３０の内壁面には凸部３１と傾斜部３２とが設けられている。なお、前記第１実施形態と同様の構成については同符号を付して説明を省略する。また、傾斜部３２は前述した厚み変化部であってもよい。
【００４９】
凸部３１は、内視鏡用フード３０の内壁面の軸方向中途部の所定位置に、部分的、又は全周に渡って、所定の幅寸法及び高さ寸法で形成されている。凸部３１の基端側面は、先端部１２の先端面１２ａに当接する当接面として形成されている。
【００５０】
傾斜部３２は、挿入部１１の軸方向における先端側の位置、すなわち視野方向の前方側の位置、が凸部３１が設けられる位置よりも視野方向前方側に配置されるように設けられ、所定の傾斜角の傾斜面３２ａを有している。フード部２２の厚み方向における、傾斜部３２の断面形状は、凸部３１側の肉厚が最も厚く、先端面部３０ａ側の肉厚が最も薄くなるように形成されている。なお、傾斜部３２の傾斜角は、観察窓１４の観察視野角を考慮して、観察視野角以上に設定される。
【００５１】
傾斜部３２には、挿入部１１の先端部１２に設けられた開口１６ａに対して滑らかに連通する切り欠き部３３が設けられている。この切り欠き部３３の傾斜面３２ａに形成される視野方向における最先端位置は、フード部２２の先端面部３０ａより基端側に位置するように形成されている。
【００５２】
このように、内視鏡用フードの内壁面に設けた凸部の基端側面を、先端部の先端面に当接させることによって、所望のフード装着状態を確実かつ容易に得ることができる。
【００５３】
また、凸部より先端側の内視鏡用フードの内壁面に傾斜部を設けたことによって、薄肉のフード部の機械的強度を高めることができる。
【００５４】
さらに、傾斜部の傾斜角を観察視野角以上に設定することによって、視野ケラレによる不具合の発生を解消することができる。
【００５５】
又、吸引機能を有する開口に連通する切り欠き部の最先端位置を、内視鏡用フードの先端面部より基端側に位置させたことによって、先端面部を生体組織に当接させて体腔内の汚物を吸引した際、開口が生体組織で塞がれることによって発生する粘膜吸着を防止することができる。
【００５６】
その他の作用及び効果は前記第１実施形態と同様である。
【００５７】
なお、本実施形態を説明する図３及び図４においては、内視鏡用フード３０のフード部２２に設けられる傾斜面３２ａを平面形状としているが、傾斜面３２ａの形状を凹面形状にするようにしてもよい。傾斜面３２ａを凹面形状で形成することによって、この傾斜面３２ａに生体組織が接触した際、粘膜と凹面形状との間に隙間が生じて、より粘膜吸着を防止することができる。
【００５８】
また、本実施形態においては内視鏡用フード３０に固定部２１を設け、この固定部２１を挿入部１１の先端部１２に設けるとしているが、先端部１２に内視鏡用フード３０を構成するフード部２２、傾斜部３２、切り欠き部３３等を一体に形成するようにしてもよい。
【００５９】
図５及び図６は本発明の第３実施形態にかかり、図５は内視鏡挿入部の先端部に内視鏡用フードを装着した状態を示す斜視図、図６は内視鏡用フード及び内視鏡挿入部を図５に示す６−６線に沿って、挿入部軸方向に切断した断面図である。
【００６０】
図５及び図６に示すように本実施形態の内視鏡用フード４０は、挿入部１１の先端部１２の先端側外周に形成されたフード装着用段部（以下、段部と略記する）１２ｂに着脱自在に装着されるようになっている。なお、前記第１実施形態と同様の構成については同符号を付して説明を省略する。
【００６１】
内視鏡１０の先端部１２の先端面１２ａには、鉗子チャンネル１６の開口１６ａと、観察窓１４と、例えば複数の照明窓（不図示）が設けられている。本実施形態においては、観察窓１４の基端面側に例えばイメージガイドファイバ束１８の先端面が臨まれている。先端部１２の先端側の側周面には段部１２ｂが形成されている。
【００６２】
内視鏡用フード４０には段部１２ｂに配置される固定部４１と、先端面１２ａから最先端部４０ａが所定量だけ突出する突出部となるフード部４２とが設けられている。固定部４１は、円筒形状であり、リング形状部４１ａと円柱部４１ｂとで構成される。固定部４１の底面４１ｃは先端面１２ａに当接する。リング形状部４１ａは段部１２ｂに対して弾性力によって一体的に固設される。フード部４２は中実であり、固定部４１の垂直平面４１ｄから中心軸に対して所定の角度傾斜して形成された傾斜面４２ａを有している。
【００６３】
本実施形態においては、固定部４１の外周面とフード部４２の外周面とは中心軸に対して平行に形成されている。内視鏡用フード４０の外径寸法（φ）は挿入部１１の先端部１２の外径寸法と同一、又はそれ以下に設定される。
【００６４】
固定部４１の垂直平面４１ｄには、先端部１２の先端面１２ａに設けられている観察窓１４に連通する観察用透孔４３と、各照明窓（不図示）に連通する照明用透孔４４ａ、４４ｂが設けられている。一方、フード部４２には開口１６ａに連通する鉗子用透孔４５が設けられている。鉗子用透孔４５の径寸法は開口１６ａの径寸法と同一、又はそれ以上に設定されている。そして、鉗子用透孔４５の先端開口は傾斜面４２ａ上に切り欠き部を形成することなく設けられている。
【００６５】
これらのことによって、内視鏡用フード４０を先端部１２に装着したフード装着状態において、内視鏡用フード４０の固定部４１の先端とフード部４２の先端とが目的部位に対して当接したとき、図中に示すＬ−Ｌ線と、垂直平面４１ｄと傾斜面４２ａとの境界部分との間に、寸法ｔで示す隙間が形成される。
【００６６】
なお、本実施形態においては図６に示す観察用透孔４３をストレート形状で示しているが、観察用透孔４３及び照明用透孔４４ａ、４４ｂをテーパー状、或いは、観察視野方向に向かって少なくとも一部が傾斜して拡開する形状で形成するようにしてもよい。
【００６７】
このように、内視鏡用フードに設けた固定部を先端部の段部に配設する際、底面を先端部の先端面に当接させることによって、所望のフード装着状態を確実かつ容易に得ることができる。
【００６８】
また、内視鏡の先端部に装着される内視鏡用フードのフード部に傾斜面を形成して先細形状にしたことによって、傾斜面を有するフード部が案内部になって、内視鏡用フードを装着した挿入部の挿入性を向上させることができる。
【００６９】
さらに、フード部に鉗子用透孔を形成したことによって、この鉗子用透孔の先端開口が傾斜面に形成されるため、内視鏡用フードの最先端部を生体組織に当接させて体腔内の汚物を吸引した際、開口が生体組織で塞がれることによって発生する粘膜吸着を防止することができる。
【００７０】
又、寸法ｔで示す隙間が、Ｌ−Ｌ線と、垂直平面４１ｄと傾斜面４２ａとの境界部分との間に形成される構成としたことによって、湾曲部を湾曲動作させて、固定部の一部とフード部の一部とを生体組織に当接させた際、鉗子用透孔の先端開口が生体組織で塞がれることを確実に防止することができる。
【００７１】
その他の作用及び効果は前述した実施形態と同様である。
【００７２】
なお、本実施形態を説明する図５及び図６においては、内視鏡用フード４０のフード部４２に設けられる傾斜面４２ａを平面形状としているが、傾斜面４２ａの形状を凹面形状にするようにしてもよい。傾斜面４２ａを凹面形状で形成することによって、この傾斜面４２ａに生体組織が接触した際、粘膜と凹面形状との間に隙間が生じて、粘膜吸着を防止することができる。
【００７３】
また、本実施形態においては内視鏡用フード４０の固定部２１にリング形状部４１ａを設け、この固定部２１を挿入部１１の先端部１２に設けた段部１２ｂに固設しているが、段部１２ｂの存在しない先端部１２に内視鏡用フード４０を構成する少なくともフード部４２を一体に形成するようにしてもよい。このとき、フード部４２の傾斜面４２ａの傾斜角を観察視野角以上に設定することによって、視野ケラレによる不具合の発生を解消することができる。
【００７４】
尚、本発明は、以上述べた実施形態のみに限定されるものではなく、発明の要旨を逸脱しない範囲で種々変形実施可能である。
【図面の簡単な説明】
【００７５】
【図１】図１及び図２は本発明の第１実施形態にかかり、図１は内視鏡挿入部の先端部に内視鏡用フードを装着した状態を示す斜視図
【図２】内視鏡用フード及び内視鏡挿入部を図１に示す２−２線に沿って、挿入部軸方向に切断した断面図
【図３】図３及び図４は本発明の第２実施形態にかかり、図３は内視鏡挿入部の先端部に内視鏡用フードを装着した状態を示す斜視図
【図４】内視鏡用フード及び内視鏡挿入部を図３に示す４−４線に沿って、挿入部軸方向に切断した断面図
【図５】図５及び図６は本発明の第３実施形態にかかり、図５は内視鏡挿入部の先端部に内視鏡用フードを装着した状態を示す斜視図
【図６】内視鏡用フード及び内視鏡挿入部を図５に示す６−６線に沿って、挿入部軸方向に切断した断面図
【符号の説明】
【００７６】
１…内視鏡装置    
１０…内視鏡    
１１…挿入部
１２…先端部    
２０…内視鏡用フード
２０ａ…先端面部    
２１…固定部
２２…フード部
２３…凸部
２４…傾斜面
２５…切り欠き部
代理人    弁理士    伊藤  進
【図１】
2005095582.tif 000003
【図２】
2005095582.tif 000004
【図３】
2005095582.tif 000005
【図４】
2005095582.tif 000006
【図５】
2005095582.tif 000007
【図６】
2005095582.tif 000008